(57)【要約】      （修正有）【課題】五徳載置部の使い勝手、お手入れ性、デザイン性を向上した調理器を提供する。【解決手段】機器天板３と、コンロバーナ２と、機器天板３に着脱自在に支承され機器天板３との位置決め部を有し上面に鍋等を載置する五徳７の爪下端８を支承するとともに位置決め用段部１１を設けた五徳リング９を有する構成としてある。【選択図】図１
2006071158.tif 000002
【特許請求の範囲】
【請求項１】
機器天板と、前記天板の開口に臨ませて取り付けたコンロバーナと、前記開口の周縁部を覆うように取り付けた五徳リングと、前記五徳リングの上方に載置した五徳とを備え、前記五徳リングには円周方向適所に段部を設け、当該段部に前記五徳の爪下端部を嵌合させることで、位置決めを行うとともに着脱自在に載置する構成とした調理器。
【請求項２】
五徳の爪下端を支承するとともに位置決め用段部の形状を凹形状とした五徳リングを備えた請求項１記載の調理器。
【請求項３】
五徳の爪下端を支承するとともに位置決め用段部の形状を五徳の爪下端の両側を凸部で挟み込む形状とした五徳リングを備えた請求項１記載の調理器。
【請求項４】
前記機器天板から着脱自在とした五徳リングを有する請求項１〜３のいずれか１項記載の調理器。
【発明の詳細な説明】
【技術分野】
【０００１】
本発明は、機器天板とゴトクとコンロバーナを有する家庭用ガス調理器に関するものである。
【背景技術】
【０００２】
従来、この種の調理器における天板と五徳の構成は、天板に設けた穴に五徳爪下端に設けた凸片を挿入し、五徳を載置するように構成されているものが一般的であった（例えば、特許文献１参照）。
【０００３】
そして、天板の穴に五徳爪下端凸片を挿入して五徳の位置決めをするようにようになっていた。
【特許文献１】特開平１０−２８１４７３号公報
【発明の開示】
【発明が解決しようとする課題】
【０００４】
しかしながら前記従来の調理器では、天板に穴を設けるとともに五徳爪下端に凸片を備えるように構成されているので、前記天板の穴に前記五徳爪下端凸片を挿入しようとした時、前記天板の穴が五徳の陰になり見えにくく挿入が困難であったり、天板に煮零れ等がこびりついた時には、手入れがしにくかったり、手入れ時に傷がつくという課題があった。
【課題を解決するための手段】
【０００５】
本発明は上記課題を解決するため、機器天板と、前記天板の開口に臨ませて取り付けたコンロバーナと、前記開口の周縁部を覆うように取り付けた五徳リングと、前記五徳リングの上方に載置した五徳とを備え、前記五徳リングには円周方向適所に段部を設け、当該段部に前記五徳の爪下端部を嵌合させることで、位置決めを行うとともに着脱自在に載置する構成としたものである。
【０００６】
上記発明によれば、五徳が位置決め用の段部を有する五徳リングに支承される構成により、五徳装着時の使い勝手を向上せしめ、五徳リングを着脱自在にすることにより、お手入れ性を向上せしめるとともに、デザイン性を高めることができる。
【発明の効果】
【０００７】
本発明の調理器は、機器天板の開口周縁部に五徳載置時の位置決め用段部を有する五徳リングを設け、前記段部に五徳の爪下端部を嵌合させることで、位置決めを行うとともに着脱自在に載置する構成としているので、五徳装着時の使い勝手を向上せしめるとともに、掃除のし易さ、デザイン性を高めるという効果がある。
【発明を実施するための最良の形態】
【０００８】
第１の発明は、機器天板と、前記天板の開口に臨ませて取り付けたコンロバーナと、前記開口の周縁部を覆うように取り付けた五徳リングと、前記五徳リングの上方に載置した五徳とを備え、前記五徳リングには円周方向適所に段部を設け、当該段部に前記五徳の爪下端部を嵌合させることで、位置決めを行うとともに着脱自在に載置する構成としたことを特徴とするもので、五徳が位置決め用の段部を有する五徳リングに支承される構成により、五徳装着時の使い勝手を向上せしめ、五徳リングを着脱自在にすることにより、お手入れ性を向上せしめるとともに、デザイン性を高めることができる。
【０００９】
第２の発明は、五徳の爪下端を支承するとともに位置決めを行う段部の形状を凹形状とした五徳リングを有するもので、五徳の装着性を高めるとともに、五徳に載置された鍋等を動かした時の五徳外れを防止し、装着時の爪下端部による天板の傷つきをなくすことができる。
【００１０】
第３の発明は、五徳の爪下端を支承するとともに位置決めを行う段部の形状を五徳の爪下端の両側を凸部で挟み込む形状とした五徳リングを有するもので、五徳の装着性をさらに高めるとともに、五徳に載置された鍋等を動かした時の五徳外れを確実に防止し、装着時の爪下端部による天板の傷つきをなくすことができる。
【００１１】
第４の発明は、機器天板から着脱自在とした五徳リングを有するもので、お手入れ性を向上せしめるとともに、デザイン性を高めることができる。
【００１２】
以下、本発明の実施の形態について、図面を参照しながら説明する。なお、本実施の形態によって本発明が限定されるものではない。
【００１３】
（実施の形態１）
図１は、本発明の実施の形態１における調理器の全体構成図、図２〜図５は同調理器の部品図、図６、図７は同調理器の要部断面図である。
【００１４】
図において、１は調理器本体、２はコンロバーナ、３はコンロバーナ２を臨ませる開口部４を有し内周部に凹部５を設けた天板リング６を有する機器天板で、７は上面に鍋等を載置する爪８を有する五徳で、９は五徳リングで前記機器天板３に着脱自在に支承され前記天板リング６の凹部にかん合し位置決めとなす凸部１０を有し前記五徳７の爪８下端８ａを支承する凹形状の位置決め用段部１１を有する。
【００１５】
次に、作用について説明すると、五徳７の爪下端８ａが凹形状の位置決め用段部１１を有する五徳リング９に支承される構成により、五徳７装着時の使い勝手を向上せしめ、また五徳７に載置された鍋等を動かした時の五徳７外れを防止し使い勝手を向上する事ができるとともに、デザイン性を高めることができる。
【００１６】
さらに、五徳リング９は機器天板３の開口部４に着脱自在に取り付ける構成としているため、掃除を行うときは五徳リング９を機器天板３から取り外すことができ、水洗い等容易に行うことができる。
【００１７】
また、五徳７の取り付けは、五徳リング９に対して取り付けるため、爪下端部８ａで機器天板３を傷つけることもなく、見栄えを長期間にわたって確保することができる。
【００１８】
（実施の形態２）
図６は、本発明の実施の形態２における五徳リング９と五徳７の要部断面図である。
【００１９】
実施の形態１と異なる点は、五徳７の爪下端８ａを支承するとともに位置決めを行う段分の形状を前記五徳７の爪下端８ａの両側を凸部１２ａ、１２ｂで挟み込む形状としたものである。実施の形態１と同一符号のものは同一構造を有し、説明は省略する。
【００２０】
次に、作用を説明すると、五徳７の爪下端８ａの両側を挟み込む形状の凸部１２ａ、１２ｂからなる位置決め用段部を有する五徳リング９に支承される構成により、五徳７装着時の使い勝手を向上せしめ、また五徳７に載置された鍋等を動かした時の五徳７外れを防止し使い勝手を向上する事ができるとともに、デザイン性を高めることができる。
【産業上の利用可能性】
【００２１】
以上のように、本発明の調理器は、機器天板に五徳を載置する構成として、天板開口部に別体の五徳リングを取り付け、この五徳リングに位置決め用段部を設けて五徳を載置するようにしているため、機器天板の材質に関係なく全てのガスコンロに適用できる。
【図面の簡単な説明】
【００２２】
【図１】本発明の実施の形態１における調理器の全体構成図
【図２】同調理器の部品図
【図３】同調理器の部品図
【図４】同調理器の部品図
【図５】同調理器の部品図
【図６】同調理器の五徳リングと五徳の要部断面図
【図７】本発明の実施の形態２における調理器の五徳リングと五徳の要部断面図
【符号の説明】
【００２３】
１  調理器
２  コンロバーナ
３  機器天板
４  開口部
７  五徳
８  爪
８ａ  爪下端
９  五徳リング
１１  位置決め用段部
【図１】
2006071158.tif 000003
【図２】
2006071158.tif 000004
【図３】
2006071158.tif 000005
【図４】
2006071158.tif 000006
【図５】
2006071158.tif 000007
【図６】
2006071158.tif 000008
【図７】
2006071158.tif 000009